(57)【要約】      （修正有）【課題】子どもや初心者であっても、着脱が極めて容易で恰好よく着られ、かつ、従来の股引のように腰紐で左右の布を丁寧に重ねて着用したような外観を備える股引を提供する。【解決手段】股引は右脚部２０と、左脚部３０と、股部と、腹部カバー４０と、臀部カバーと、腰部７０とを備える。右脚部２０の上部は、着用者の腹部右側の一部又は全体と臀部右側の一部又は全体を覆うことができるように形成されており、前股部６１の右端部６１ａと縫合される右脚上前端部２１と、後股部の右端部と縫合される右脚上後端部を有する。左脚部３０の上部は、着用者の腹部左側の一部又は全体と臀部左側の一部又は全体を覆うことができるように形成されており、前股部６１の左端部６１ｂと縫合される左脚上前端部３１と、後股部の左端部と縫合される左脚上後端部を有する。【選択図】図３
0003229730.tif 000002
【実用新案登録請求の範囲】
【請求項１】
右脚部（２０）と、
左脚部（３０）と、
前股部（６１）及び後股部（６２）を備える股部（６０）と、
腹部カバー（４０）と、
臀部カバー（５０）と、
腰部（７０）と
を備え、
前記右脚部（２０）の下部は略筒状であり、
前記右脚部（２０）の上部は、前記前股部（６１）の右端部（６１ａ）と縫合される右脚上前端部（２１）と、前記後股部（６２）の右端部（６２ａ）と縫合される右脚上後端部（２２）を有し、
前記左脚部（３０）の下部は略筒状であり、
前記左脚部（３０）の上部は、前記前股部（６１）の左端部（６１ｂ）と縫合される左脚上前端部（３１）と、前記後股部（６２）の左端部（６２ｂ）と縫合される左脚上後端部（３２）を有し、
前記腹部カバー（４０）は、他の部材（腰部（７０）を除く）とほぼ縫合されない腹部カバー右端部（４１）と、前記左脚上前端部（３１）と縫合される腹部カバー左端部（４２）を有し、
前記臀部カバー（５０）は、他の部材（腰部（７０）を除く）とほぼ縫合されない臀部カバー右端部（５１）と、前記左脚上後端部（３２）と縫合される臀部カバー左端部（５２）を有し、
前記右脚上前端部（２１）と前記前股部（６１）の右端部（６１ａ）は縫合され、
前記左脚上前端部（３１）、前記前股部（６１）の左端部（６１ｂ）、及び、前記腹部カバー左端部（４２）は縫合され、
前記右脚上後端部（２２）と前記後股部（６２）の右端部（６２ａ）は縫合され、
前記左脚上後端部（３２）、前記後股部（６２）の左端部（６２ｂ）、及び、前記臀部カバー左端部（５２）は縫合され、
前記腰部（７０）が、縫合された前記右脚部（２０）、前記左脚部（３０）、前記股部（６０）、前記腹部カバー（４０）及び前記臀部カバー（５０）の上縁端に、所定の幅で周方向に配置されたことを特徴とする、股引。
【請求項２】
前記腹部カバー右端部（４１）及び前記臀部カバー右端部（５１）は、布が折られて形成され、
前記腹部カバー右端部（４１）の線は前記右脚上前端部（２１）の線より右外側に配置され、前記臀部カバー右端部（５１）の線は前記右脚上後端部（２２）の線より右外側に配置されたことを特徴とする、請求項１に記載の股引。
【請求項３】
前記右脚上前端部（２１）と前記前股部（６１）の右端部（６１ａ）は股引前側中心近くで縫合され、及び／又は、前記右脚上後端部（２２）と前記後股部（６２）の右端部（６２ａ）は股引後側中心近くで縫合されたことを特徴とする、請求項１又は２に記載の股引。
【請求項４】
前記腰部（７０）の前側にゴム紐を通すこと、又は、前記腰部（７０）の前側にストレッチ素材を用いることで、該腰部（７０）のサイズを調整可能な、請求項１〜３いずれか１項に記載の股引。
【請求項５】
前記腰部（７０）の左右にボタンが備えられ、前記腰部（７０）の前側に通す前記ゴム紐は中心線上に所定間隔でボタンホールを有し、前記ゴム紐の延長部を畳み込んで前記ボタンで係止された、請求項４に記載の股引。
【請求項６】
前記右脚部（２０）は、右脚第１分割部（２０ａ）と、右脚第２分割部（２２ａ）を含み、
前記左脚部（３０）は、左脚第１分割部（３０ａ）と、左脚第２分割部（３２ａ）を含み、
前記右脚第２分割部（２２ａ）及び前記左脚第２分割部（３２ａ）の幅を、太腿とふくらはぎの膨らみに沿って調整することを特徴とする、請求項１〜５いずれか一項に記載の股引。
【請求項７】
前記右脚部（２０）、前記左脚部（３０）、前記股部（６０）、前記腹部カバー（４０）、前記臀部カバー（５０）、及び、前記腰部（７０）は、一部又は全部の素材が、綿又は伸縮性を有するポリウレタンである、請求項１〜６いずれか一項に記載の股引。
【考案の詳細な説明】
【技術分野】
【０００１】
本考案は、股引に関する。特に、祭祀に用いられる股引に関する。
【背景技術】
【０００２】
従来より伝統的にお祭りで屋台や神輿を引き回す際に着用される祭祀用股引は、図１に示されるように、腰から下の右下半身及び左下半身を包み込む布が腹部上端のみで縫合されているにすぎず、着用時に脚部、腹部及び臀部を着用者自らが覆って整えつつ、左右の長い腰紐を駆使して着用するものである。
【０００３】
具体的には、図１を用いて説明する。
図１（ａ）は従来の股引（１００）の腹部側（前側）を示し、図１（ｂ）は従来の股引の臀部側（後側）を示す。
右脚部（１２０）及び左脚部（１３０）の下部は筒状であり、上部は漏斗状にとなっている。右脚部（１２０）の上端と左脚部（１３０）の上端は、腰部（１７０）で腹部上端部分のみ連結されている。腰部（１７０）は右腰紐（１７１）及び左腰紐（１７２）が延在して連結されており、着用時に右腰紐（１７１）を腰回りに１周させる必要があることから、右腰紐（１７１）のほうが左腰紐（１７２）より長く形成される。
さらに、右脚部（１２０）の上部には右脚上前端部（１２１）と右脚上後端部（１２２）、左脚部（１３０）の上部には左脚上前端部（１３１）と左脚上後端部（１３２）が形成されているが、これらの端部（１２１、１２２、１３１、１３２）は互いに縫合されていない。
【０００４】
従来の祭祀用股引の着用方法は、概ね以下のとおりである。すなわち、右脚部（１２０）及び左脚部（１３０）に足を挿入し、ふくらはぎと太腿の位置の生地を整える。右腰紐（１７１）を背中側から回して左手で掴んだ後、右手を左脚上前端部（１３１）と右脚部（１２０）の隙間に挿入し、該右手を右脚上前端部（１２１）と左脚部（１３０）の隙間から出す。左手で掴んでいた右腰紐（１７１）を右手で掴み直して右方向に引っ張る。次に、左腰紐（１７２）を背中側から回して右手で掴み、右腰紐（１７１）と締結する。最後に腹部と臀部の位置の生地を整える。
【０００５】
しかしながら、上記のような従来の祭祀用股引は、子どもや股引を着慣れていない人には着用が非常に難しいものであり、介助者が必要となることが多く、かつ、介助者にとってもスマートに格好よく着させることは困難であった。さらに、トイレ等での着脱は困難を極め、長い腰紐や漏斗状の生地がトイレ水内に浸漬しやすく不衛生であるという問題があった。
【０００６】
その後、腰紐を前で締結する方法（特許文献１）が公開された。特許文献１の考案により、右脚部と左脚部の結合を臀部上端部分に変更することと、腰紐の締結位置を変更することで、股引生地がトイレ水内に浸漬しやすい課題を解決している。しかしながら、左右の脚部の端部が互いに縫合されていないため、臀部、腹部の形を整える必要があり、子どもや初心者にとって着用しにくい課題は残っている。
【０００７】
また、特許文献２の股引は、従来の股引が、左右の上部の各端部が縫合されていないことで醸し出される本物の風合いを表現することができないという課題も残っている。
【先行技術文献】
【特許文献】
【０００８】
【特許文献１】実用新案登録第３１４３４２３号公報
【特許文献２】特開２００３−２７８０１０
【考案の概要】
【考案が解決しようとする課題】
【０００９】
本考案は、上記事情を鑑みたものであり、子どもや初心者であっても、着脱が極めて容易で恰好よく着られ、かつ、従来の股引のように腰紐で左右の布を丁寧に重ねて着用したような外観を備える股引を提供することを課題とする。
【課題を解決するための手段】
【００１０】
上記課題を解決するために、本考案の股引は、右脚部（２０）と、左脚部（３０）と、前股部（６１）及び後股部（６２）を備える股部（６０）と、腹部カバー（４０）と、臀部カバー（５０）と、腰部（７０）とを備え、前記右脚部（２０）の下部は略筒状であり、前記右脚部（２０）の上部は、前記前股部（６１）の右端部（６１ａ）と縫合される右脚上前端部（２１）と、前記後股部（６２）の右端部（６２ａ）と縫合される右脚上後端部（２２）を有し、前記左脚部（３０）の下部は略筒状であり、前記左脚部（３０）の上部は、前記前股部（６１）の左端部（６１ｂ）と縫合される左脚上前端部（３１）と、前記後股部（６２）の左端部（６２ｂ）と縫合される左脚上後端部（３２）を有し、前記腹部カバー（４０）は、他の部材（腰部（７０）を除く）とほぼ縫合されない腹部カバー右端部（４１）と、前記左脚上前端部（３１）と縫合される腹部カバー左端部（４２）を有し、前記臀部カバー（５０）は、他の部材（腰部（７０）を除く）とほぼ縫合されない臀部カバー右端部（５１）と、前記左脚上後端部（３２）と縫合される臀部カバー左端部（５２）を有し、前記右脚上前端部（２１）と前記前股部（６１）の右端部（６１ａ）は縫合され、前記左脚上前端部（３１）、前記前股部（６１）の左端部（６１ｂ）、及び、前記腹部カバー左端部（４２）は縫合され、前記右脚上後端部（２２）と前記後股部（６２）の右端部（６２ａ）は縫合され、前記左脚上後端部（３２）、前記後股部（６２）の左端部（６２ｂ）、及び、前記臀部カバー左端部（５２）は縫合され、前記腰部（７０）が、縫合された前記右脚部（２０）、前記左脚部（３０）、前記股部（６０）、前記腹部カバー（４０）及び前記臀部カバー（５０）の上縁端に、所定の幅で周方向に配置されたことを特徴とする。
【００１１】
前記腹部カバー右端部（４１）及び前記臀部カバー右端部（５１）は、布が折られて形成され、前記腹部カバー右端部（４１）の線は前記右脚上前端部（２１）の線より右外側に配置され、前記臀部カバー右端部（５１）の線は前記右脚上後端部（２２）の線より右外側に配置されてもよい。
【００１２】
前記右脚上前端部（２１）と前記前股部（６１）の右端部（６１ａ）は股引前側中心近くで縫合され、及び／又は、前記右脚上後端部（２２）と前記後股部（６２）の右端部（６２ａ）は股引後側中心近くで縫合されてもよい。
【００１３】
前記腰部（７０）の前側にゴム紐を通すこと、又は、前記腰部（７０）の前側にストレッチ素材を用いることで、該腰部（７０）のサイズを調整可能であることが望ましい。
【００１４】
前記腰部（７０）の左右にボタンが備えられ、前記腰部（７０）の前側に通す前記ゴム紐は中心線上に所定間隔でボタンホールを有し、前記ゴム紐の延長部を畳み込んで前記ボタンで係止されてもよい。
【００１５】
前記右脚部（２０）は、右脚第１分割部（２０ａ）と、右脚第２分割部（２２ａ）を含み、前記左脚部（３０）は、左脚第１分割部（３０ａ）と、左脚第２分割部（３２ａ）を含み、前記右脚第２分割部（２２ａ）及び前記左脚第２分割部（３２ａ）の幅を、太腿とふくらはぎの膨らみに沿って調整してもよい。
【００１６】
前記右脚部（２０）、前記左脚部（３０）、前記股部（６０）、前記腹部カバー（４０）、前記臀部カバー（５０）、及び、前記腰部（７０）は、一部又は全部の素材が、綿又は伸縮性を有するポリウレタンであることが望ましい。
【考案の効果】
【００１７】
本考案の股引により、子どもや初心者であっても、着脱が極めて容易で恰好よく着られ、かつ、従来の股引のように腰紐で左右の布を丁寧に重ねて着用したような外観を備える股引を提供することができる。すなわち、介助者の手を借りることなく着用者だけでも祭祀用股引をスマートに着用することができ、トイレ空間においても腰紐や漏斗状の生地が便器内に浸漬しにくく不衛生になりにくい上、従来のきちんとした本物の股引のように見せることが可能となる。
【図面の簡単な説明】
【００１８】
【図１】（ａ）は従来の股引の腹部側（前側）、（ｂ）は従来の股引の臀部側（後側）の例の概略を示す。
【図２】（ａ）は本考案の股引の腹部側（前側）、（ｂ）は本考案の股引の臀部側（後側）の例の概略を示す。
【図３】（ａ）は本考案の股引の腹部側（前側）であって、分かりやすくするために腹部カバーを除いて図示したもの、（ｂ）は本考案の腹部カバー、（ｃ）は本考案の前股部の例を示す。
【図４】（ａ）は本考案の股引の臀部側（後側）であって、分かりやすくするために臀部カバーを除いて図示したもの、（ｂ）は本考案の臀部カバー、（ｃ）は本考案の後股部の例を示す。
【図５】（ａ）は本考案の股引の腹部側（前側）、（ｂ）は本考案の股引の臀部側（後側）の他の例の概略を示す。
【図６】（ａ）は本考案の股引の腹部側（前側）、（ｂ）は本考案の前股部の他の例の概略を示す。
【図７】（ａ）は本考案の股引の臀部側（後側）、（ｂ）は本考案の後股部の他の例の概略を示す。
【図８】本考案の股引の一例の腹部側（前側）の写真である。
【図９】本考案の股引の一例の臀部側（後側）の写真である。
【考案を実施するための形態】
【００１９】
本考案は、右脚部（２０）と、左脚部（３０）と、前股部（６１）及び後股部（６２）を備える股部（６０）と、腹部カバー（４０）と、臀部カバー（５０）と、腰部（７０）とを備えるものである。以下に、図２〜７を参照して詳細を説明する。
【００２０】
＜右脚部＞
右脚部（２０）の上部は、着用者の腹部右側の一部又は全体と臀部右側の一部又は全体を覆うことができるように形成されており、前股部（６１）の右端部（６１ａ）と縫合される右脚上前端部（２１）と、後股部（６２）の右端部（６２ａ）と縫合される右脚上後端部（２２）を有する。
【００２１】
右脚部（２０）の下部は略筒状であり、着用者の右脚の太腿、膝、ふくらはぎを覆うことができるように形成されている。
また、右脚部（２０）は、図２〜４、６、７に示すように１枚の生地から形成してもよく、図５や図９のように複数の生地を繋ぎ合わせて形成してもよい。
図５の股引（１ａ）に示すように、膝の位置に右脚補強部（２１ａ）を生地の裏側から配置することもできる。右脚補強部（２１ａ）を配置することにより、祭りでの激しい動きや屈伸で力がかかって破れやすい膝回りの強度を補強することができる。
また、右脚部（２０）の生地を２つに分割して右脚第１分割部（２０ａ）と右脚第２分割部（２２ａ）を設け、右脚第２分割部（２２ａ）の幅を太腿とふくらはぎの膨らみに沿うように調整することもできる。また、右脚第１分割部（２０ａ）と右脚第２分割部（２２ａ）を異なる素材としたり、右脚第２分割部（２２ａ）をストレッチ素材（ポリウレタン等）に変更することもできる。ふくらはぎや太腿にピタッと沿わせるように着用すると、より従来の股引のような外観になり得る。
【００２２】
＜左脚部＞
左脚部（３０）の上部は、着用者の腹部左側の一部又は全体と臀部左側の一部又は全体を覆うことができるように形成されており、前股部（６１）の左端部（６１ｂ）と縫合される左脚上前端部（３１）と、後股部（６２）の左端部（６２ｂ）と縫合される左脚上後端部（３２）を有する。
【００２３】
左脚部（３０）の下部は略筒状であり、着用者の左脚の太腿、膝、ふくらはぎを覆うことができるように形成されている。
また、左脚部（３０）は、図２〜４、６、７に示すように１枚の生地から形成してもよく、図５や図９のように複数の生地を繋ぎ合わせて形成してもよい。
図５のように、膝の位置に左脚補強部（３１ａ）を生地の裏側から配置することもできる。左脚補強部（３１ａ）を配置することにより、祭りでの激しい動きや屈伸で力がかかって破れやすい膝回りの強度を補強することができる。
また、左脚部（３０）の生地を２つに分割して左脚第１分割部（３０ａ）と左脚第２分割部（３２ａ）を設け、左脚第２分割部（３２ａ）の幅を太腿とふくらはぎの膨らみに沿うように調整することもできる。また、左脚第１分割部（３０ａ）と左脚第２分割部（３２ａ）を異なる素材としたり、左脚第２分割部（３２ａ）をストレッチ素材（ポリウレタン等）に変更することもできる。ふくらはぎや太腿にピタッと沿わせるように着用すると、より従来の股引のような外観になり得る。
【００２４】
＜股部＞
股部（６０）は、腹部（前側）の全部又は一部を覆うように形成される前股部（６１）と、臀部（後側）の全部又は一部を覆うように形成される後股部（６２）を備える。股部（６０）は、右脚部（２０）や左脚部（３０）とは別部材にすることにより、着用者の腹部や臀部を立体的にカバーしやすくなる。前股部（６１）は１枚又は複数枚の生地で形成されていてもよいし、後股部（６２）も１枚又は複数枚の生地で形成されていてもよい。前股部（６１）と後股部（６２）の生地は連続して１枚で形成されていてもよい。前股部（６１）の右端部（６１ａ）は右脚上前端部（２１）と、前股部（６１）の左端部（６１ｂ）は左脚上前端部（３１）及び腹部カバー左端部（４２）と、後股部（６２）の右端部（６２ａ）は右脚上後端部（２２）と、後股部（６２）の左端部（６２ｂ）は左脚上後端部（３２）及び臀部カバー左端部（５２）と、それぞれ縫合される。なお、３枚以上の生地を縫合する場合は、一度にまとめて縫合してもよいし、複数に分けて縫合してもよい。
【００２５】
前股部（６１）の右端部（６１ａ）の縫合部分は、腹部カバー（４０）に隠れるように配置することが望ましい。また、後股部（６２）の右端部（６２ａ）の縫合部分は、臀部カバー（５０）に隠れるように配置することが望ましい。従来の股引のように左右の布を重ね合わせたような外観に見せることができるからである。
【００２６】
図６（ａ）、図６（ｂ）に示すように、前股部（６１）の右端部（６１ａ）と右脚上前端部（２１）の縫合部分を、股引前側中心近くに配置してもよく、図７（ａ）、図７（ｂ）に示すように、後股部（６２）の右端部（６２ａ）と右脚上後端部（２２）の縫合部分を、股引後側中心近くに配置してもよい。図６（ａ）、図６（ｂ）の実施例の場合、前股部（６１）は腹部（前側）の左側を覆うように形成され、図７（ａ）、図７（ｂ）の実施例の場合、後股部（６２）は臀部（後側）の左側を覆うように形成されている。
さらには、前股部（６１）の右端部（６１ａ）と右脚上前端部（２１）の縫合部分を、股引前側中心近くに配置し、後股部（６２）の右端部（６２ａ）と右脚上後端部（２２）の縫合部分は図４（ａ）で示される位置に配置してもよい。逆に、前股部（６１）の右端部（６１ａ）と右脚上前端部（２１）の縫合部分は図３（ａ）で示される位置に配置し、後股部（６２）の右端部（６２ａ）と右脚上後端部（２２）の縫合部分を、股引後側中心近くに配置してもよい。
前股部（６１）の形状は、右脚上前端部（２１）と左脚上前端部（３１）とを腹部の丸みに合わせて繋ぐものであればよく、左右は滑らかな曲線、略直線、デザインによってはジグザグ線、波線等が例示される。鼠頸部にあたる後股部（６２）との接合部分の形状は、着用者の着心地を考慮した形状であればよく、直線や、短い直線（点）が例示される。
後股部（６２）の形状は、右脚上後端部（２２）と左脚上後端部（３２）とを臀部の丸みに合わせて繋ぐものであればよく、左右は滑らかな曲線、略直線、デザインによってはジグザグ線、波線等が例示される。鼠頸部にあたる前股部（６１）との接合部分の形状は、着用者の着心地を考慮した形状であればよく、直線や、短い直線（点）が例示される。
【００２７】
＜腹部カバー＞
腹部カバー（４０）は、着用者の腹部の中心近辺を上から覆うように、かつ、前股部（６１）を上から覆うにように配置される。
【００２８】
腹部カバー右端部（４１）は腰部（７０）を除く他の部材とほぼ縫合されず、右脚部（２０）に布が重ねられたような外観を呈する。ここで「ほぼ縫合されず」とは、他の部材とは裁縫の処理上必要となる末端等の縫合箇所の他は、縫合されないことを意味する。
また、腹部カバー右端部（４１）は布を折って形成する他、かがり縫いやまつり縫い、端ミシン等を行ってもよい。見た目をよくするため、布の端の処理が不要なように、腹部カバー（４０）を、腹部カバー右端部（４１）を中心に布を折った２枚重ねの構成にすることが好ましい。
腹部カバー右端部（４１）の線は右脚上前端部（２１）の線より右外側に配置されることが望ましい。右脚上前端部（２１）と前股部（６１）の右端部（６１ａ）の縫合部分を腹部カバー（４０）で隠すことにより、従来の股引のように左右の布を重ね合わせたような外観に見せることができるからである。
【００２９】
腹部カバー左端部（４２）は、左脚上前端部（３１）及び前股部（６１）の左端部（６１ｂ）と縫合される。
【００３０】
＜臀部カバー＞
臀部カバー（５０）は、着用者の臀部の中心近辺を上から覆うように、かつ、後股部（６２）を上から覆うにように配置される。
【００３１】
臀部カバー右端部（５１）は他の部材（腰部（７０）を除く）とほぼ縫合されず、右脚部（２０）に布が重ねられたような外観を呈する。ここで「ほぼ縫合されず」とは、他の部材とは裁縫の処理上必要となる末端等の縫合箇所の他は、縫合されないことを意味する。
また、臀部カバー右端部（５１）は布を折って形成する他、かがり縫いやまつり縫い、端ミシン等を行ってもよい。見た目をよくするため、布の端の処理が不要なように、臀部カバー（５０）を、臀部カバー右端部（５１）を中心に布を折った２枚重ねの構成にすることが好ましい。
臀部カバー右端部（５１）の線は右脚上後端部（２２）の線より右外側に配置されることが望ましい。右脚上後端部（２２）と後股部（６２）の右端部（６２ａ）の縫合部分を臀部カバー（５０）で隠すことにより、従来の股引のように左右の布を重ね合わせたような外観に見せることができるからである。
【００３２】
臀部カバー左端部（５２）は、左脚上後端部（３２）及び後股部（６２）の左端部（６２ｂ）と縫合される。
【００３３】
＜腰部＞
腰部（７０）は、縫合された右脚部（２０）、左脚部（３０）、股部（６０）、腹部カバー（４０）及び臀部カバー（５０）の上縁端に、所定の幅で周方向に配置される。
股引の着脱がしやすいように、また、体型や成長に合わせてウエストサイズを調整しやすいように、腰部（７０）は、一部又は全部にゴム紐を通すことが望ましい。ゴム紐は、腰部（７０）全体に配置してもよいし、前側のみ、後側のみ、あるいは左右側のみに配置してもよい。より好ましくは前側に配置する。前側に配置することにより、生成したギャザーを体の前屈動作に沿わせることができ、かつ、後側にはギャザーができず、従来の股引のようにすっきりと着用することができる。
目的や体型、あるいは身体の成長により、ゴム紐を係止するボタン等の部材を腰部（７０）の左右の２か所に配置して、股引前側の伸縮と股引後側の伸縮の度合いを調整してもよい。かかるボタン等の部材は、腰部（７０）の内側に配置することが見た目上望ましい。一例として、中心線に２つ以上又は所定間隔でボタンホールを有するゴム紐を用い、股引後側のゴム紐を伸縮不要となるように腰部（７０）の後側の寸法に合わせた長さで挿入し、ボタンホールを用いて該ボタン等に係止する。股引前側のゴム紐は、伸縮するように腰部（７０）の前側の寸法より短い長さで挿入し、ボタンホールを用いて該ボタン等で係止する。かかる股引前側のゴム紐は、延長可能なように、ゴム紐の延長部を畳み込んで該ボタン等で係止しておき、必要に応じて該ボタン等を嵌めるボタンホールの位置をずらして調整できるようにすることがより好ましい。
ゴム紐の代わりに、腰部（７０）の前側に、ポリウレタン等のストレッチ素材を用いてもよい。
【００３４】
＜素材＞
股引の部材である、右脚部（２０）、左脚部（３０）、股部（６０）、腹部カバー（４０）、臀部カバー（５０）、及び、前記腰部（７０）の素材は、適宜選択される。これらの部材の一部又は全部の素材が、綿又は伸縮性を有するポリウレタンであることが望ましい。
【産業上の利用可能性】
【００３５】
本考案の股引は、腰紐をなくし、腰部の開口部からズボンのように着脱できるため、子どもから初心者の大人まで気軽に着用することができ、トイレ等で腰紐がトイレ水に浸漬してしまうこともなく衛生的であるだけでなく、従来の本格的な祭祀用股引の腰紐で左右の布を丁寧に重ねて着用したような外観を備えるため、歴史と伝統を大切にするお祭り感を損なうことなく着用することができる。このような股引を広く提供することにより、子どもや他の地方から移り住んだ大人でも気軽に祭り行事に参加することができるようになり、ひいては地域内の連携や地方の活性化にも大きく貢献するものと考えられる。
【符号の説明】
【００３６】
１      股引
２０    右脚部
２１    右脚上前端部
２２    右脚上後端部
３０    左脚部
３１    左脚上前端部
３２    左脚上後端部
４０    腹部カバー
４１    腹部カバー右端部
４２    腹部カバー左端部
５０    臀部カバー
５１    臀部カバー右端部
５２    臀部カバー左端部
６０    股部
６１    前股部
６１ａ  前股部の右端部
６１ｂ  前股部の左端部
６２    後股部
６２ａ  後股部の右端部
６２ｂ  後股部の左端部
７０    腰部
１ａ    股引
２０ａ  右脚第１分割部
２１ａ  右脚補強部
２２ａ  右脚第２分割部
３０ａ  左脚第１分割部
３１ａ  左脚補強部
３２ａ  左脚第２分割部
１００  股引（従来例）
１２０  右脚部
１２１  右脚上前端部
１２２  右脚上後端部
１３０  左脚部
１３１  左脚上前端部
１３２  左脚上後端部
１７０  腰部
１７１  右腰紐
１７２  左腰紐
【図１】
0003229730.tif 000003
【図２】
0003229730.tif 000004
【図３】
0003229730.tif 000005
【図４】
0003229730.tif 000006
【図５】
0003229730.tif 000007
【図６】
0003229730.tif 000008
【図７】
0003229730.tif 000009
【図８】
0003229730.tif 000010
【図９】
0003229730.tif 000011